(57)【要約】【課題】  不織布を施した部材をリサイクルする際に、不織布とこれを取り付けた被取り付け部材の分離を容易とし、また、不織布を被取り付け部材に取り付ける際には、取り付け位置がばらつくことなく所定の位置に容易に取り付けできる不織布の取り付け構造を提供する。【解決手段】  テレビのフロントパネル１の背面部に、ブラウン管の画像表示面によって塞がれる開孔窓２の外周近傍に、全体にわたって球状突起５を等間隔に形成し、この球状突起５が圧入可能な挿入穴１０ａを有する不織布１０を、開孔窓２の外周全体にわたって複数取り付ける。【選択図】        図１
2005073988.tif 000002
【特許請求の範囲】
【請求項１】
不織布を被取り付け部材に取り付けるための不織布の取り付け構造において、
穴又は切り込みによって形成された被挿入部を有する前記不織布と、
前記被挿入部に圧入可能な挿入部を有する突起を所定位置に配設した前記被取り付け部材と
を有し、
前記被取り付け部材から前記不織布を取り外す際に、前記突起と前記被挿入部との圧接が増加するように構成したことを特徴とする不織布の取り付け構造。
【請求項２】
前記被挿入部が、丸穴で形成されたことを特徴とする請求項１記載の不織布の取り付け構造。
【請求項３】
前記突起が、前記丸穴より径大の球状の前記挿入部を有することを特徴とする請求項２記載の不織布の取り付け構造。
【請求項４】
前記突起が、その底面径が前記丸穴より径大の円錐状の前記挿入部を有することを特徴とする請求項２記載の不織布の取り付け構造。
【請求項５】
前記突起が、十字状の前記挿入部を有することを特徴とする請求項１記載の不織布の取り付け構造。
【請求項６】
前記被挿入部が、十字状の切り込みによって形成されたことを特徴とする請求項１記載の不織布の取り付け構造。
【請求項７】
前記突起部が所定の間隔で複数配設され、前記被挿入部も前記所定の間隔で複数形成されたことを特徴とする請求項１乃至６の何れかに記載の不織布の取り付け構造。
【請求項８】
不織布を被取り付け部材に取り付けるための不織布の取り付け構造において、
所定形状に加工された被挿入部を有する前記不織布と、
貫通部材が取り付けられた前記被取り付け部材と
を備え、
前記被挿入部が未変形の状態で前記貫通部材を前記被挿入部に通すと両者の一部は互いに接触するが、前記不織布と前記被取り付け部材を圧力をかけて接触させると、前記被挿入部は変形して前記貫通部材が前記被挿入部を貫通し、前記不織布は前記被取り付け部材に固定されることを特徴とする不織布の取り付け構造。
【発明の詳細な説明】
【技術分野】
【０００１】
本発明は、不織布を取り付けるための取り付け構造に関し、特に不織布の取り外しが可能な取り付け構造に関する。
【背景技術】
【０００２】
従来、この種の取付け方法として、例えば、マッシュルーム径が、不織布面に浸入可能な最大径から、不織布面への浸入後における、係合の維持に必要な最小径までの範囲の径であって、ステムが不織布への浸入に必要な回復性を有し、かつステム長が係合維持に必要な範囲であることを特徴とする不織布の連結または固定用のマッシュルームタイプの有型面ファスナーを提供するものがあった（例えば、特許文献１参照）。
【０００３】
また、キャビネットの内部に、円形の不織布が背面に貼設されたスピーカユニットを収容してスピーカ装置を構成し、不織布がケース内面の凹部に入り込み、ケース内面に圧接されるようにスピーカユニットを収容する構成のもの（例えば、特許文献２参照）、更に、バックキャビネットのリブ部にＶ字形状の切り欠き部を設け、リサイクル時には、リブ部をＶ字形状の切り欠き部で割ることによって、バックキャビネットと構成材料が異なる不織布が貼付されている部分を分離するものがあった（例えば、特許文献３参照）。
【０００４】
【特許文献１】特開２００２―１３６３０６号公報（第２頁、図１）
【特許文献２】特開２００２―２３８０９１号公報（第１頁、図３）
【特許文献３】特開２００２―３１４９０２号公報（第１頁、図２）
【発明の開示】
【発明が解決しようとする課題】
【０００５】
前記した特許文献１の有型面ファスナーによると、不織布の連結或いは固定、及びその取り外しが可能となるが、例えば固定する場合、不織布の任意箇所が固定できるため、目測で固定した場合には固定位置がばらついてしまい、このばらつきを防ぐには位置決めのための溝やラインを新たに設けなければならないといった問題があった。また、特許文献２においてはスピーカの背面に不織布を貼設し、特許文献３においてはバックキャビネットのリブ部に不織布を貼付しているため、例えば、これらをリサイクルする際に不織布をスピーカ或いはリブ部から剥がして分離するのが困難であった。このため、特許文献３においては、リブ部を、不織布を付けたまま割って除去できるように、Ｖ字状の溝を形成している。
【０００６】
本発明の目的は、上記した問題点を解決し、不織布を被取り付け物に取り付けする際に、容易に所定の位置に取り付けできると共に、リサイクルを配慮して、被取り付け物と不織布との分離も容易に行えるようにした不織布の取り付け構造を提供することにある。
【課題を解決するための手段】
【０００７】
本発明の不織布の取り付け構造は、不織布を被取り付け部材に取り付けるための不織布の取り付け構造において、
穴又は切り込みによって形成された被挿入部を有する前記不織布と、前記被挿入部に圧入可能な挿入部を有する突起を所定位置に配設した前記被取り付け部材とを有し、
前記被取り付け部材から前記不織布を取り外す際に、前記突起と前記被挿入部との圧接が増加するように構成したことを特徴とする。
また、別の発明による不織布の取り付け構造は、不織布を被取り付け部材に取り付けるための不織布の取り付け構造において、
所定形状に加工された被挿入部を有する前記不織布と、貫通部材が取り付けられた前記被取り付け部材とを備え、
前記被挿入部が未変形の状態で前記貫通部材を前記被挿入部に通すと両者の一部は互いに接触するが、前記不織布と前記被取り付け部材を圧力をかけて接触させると、前記被挿入部は変形して前記貫通部材が前記被挿入部を貫通し、前記不織布は前記被取り付け部材に固定されることを特徴とする。
【発明の効果】
【０００８】
本発明の取り付け構造によれば、不織布を被取り付け部材に取り付ける際に、取り付け位置がずれることがなく、所定の位置に正確に取り付けることができる。また、不織布と被取り付け部材とを容易に分離できるため、リサイクル時の作業性を向上することができる。更に、両面テープ付きの不織布を使用する必要がないため、安価な不織布を使用することができる。
【発明を実施するための最良の形態】
【０００９】
実施の形態１．
図１は、本発明の不織布の取り付け構造を採用した実施の形態１のテレビのフロントパネル１の構成を示す構成図で、その裏側からみた背面部の構成を示している。また図２は、図１に示す開孔窓２の左下部分の部分拡大図である。
【００１０】
図１に示すように、フロントパネル１には、図示しないブラウン管の画像表示面によって塞がれて、この表示面を外側に臨ませるための開孔窓２が形成され、また操作者による操作を直接或いは間接的に電気部品に伝達するための操作部３などが形成されている。
【００１１】
そして、開孔窓２の周囲には、図２の部分拡大図に示すように、被取り付け部材としてのフロントパネル１の裏平面部１ａから、斜面部４ａを経て縁取り部４ｂに及ぶ段部４が形成されている。そして、裏平面部１ａには、この裏平面部１ａと段部４との境界線１ｂの近傍に、この境界線１ｂに沿って複数の突起或いは貫通部材に相当する球状突起５が配設されている。そして開孔窓２が略長方形であるため、この球状突起５も開孔窓２と相似した長方形状の４つの辺に沿って形成されている。
【００１２】
図３（ａ）は、この球状突起５の配設例を示す配置図であり、また図３（ｂ）は、この球状突起５の外形を示す斜視図である。
【００１３】
この球状突起５は、同図（ａ）に示すように、少なくとも個々の辺内において間隔Ｄで等間隔に形成され、同図（ｂ）に示すように、挿入部に相当する球状先端部５ａとこの球状先端部５ａを裏平面部１ａから所定距離離間させて保持する支持部５ｂとからなる。支持部５ｂは、例えば同図に示すように円柱状に形成され、その断面半径が、球状先端部５ａの半径より、所定の差以上に小さく設定されている。尚、本実施の形態では、図１に示すように長方形状の４つの辺に沿って形成された球状突起５が、その一対の短辺部にはそれぞれ２１個形成され、同じく一対の長辺部にはそれぞれ２８個形成されている。
【００１４】
図１及び図２に示すように、この球状突起５には、不織布１０が取り付けられる。図４は、この不織布１０の形状を示す平面図である。同図に示すように、不織布１０は、所定の厚みをもって短冊状に形成された細長い部材で、その長手方向に沿う中心からやや逸れた位置に、前記した球状突起５の球状先端部５ａの径より僅かに小さい径の被挿入部に相当する挿入穴１０ａが、球状突起５の形成間隔Ｄと同じ間隔で複数（本実施の形態の図４の場合は７個）形成されている。尚、この時、挿入穴１０ａの中心から遠い方の長辺１０ｂまでの距離を、取り幅Ｗとする。
【００１５】
この不織布１０は、その挿入穴１０ａに球状突起５を順次圧入するようにして、図１及び図２に示すように長辺１０ｂが開孔窓２の側となるように取付けられる。
このとき、不織布１０が、球状突起５の前記した円柱状の支持部５ｂに係合し、その移動がある程度規制された状態で止まるように、支持部５ｂの高さ及び径が考慮されているものとする。
【００１６】
不織布１０の取り幅Ｗは、この時、長辺１０ｂが、縁取り部４ｂの略上方に至るように設定される。同様にして、合計１４枚（短辺部に３枚、長辺部４枚）の不織布が、全ての球状突起５と係合するように、開孔窓２の周辺全体にわたって取り付けられる。尚、図１には、フロントパネル１の図面上での構成が不明確になるのをけるため、残りの１３枚の不織布については図示していない。また、この時隣接する不織布１０が重ならないように、両端に位置する挿入穴１０ａの中心から不織布１０の各短辺までの距離は、Ｄ／２以下となるようにするのが好ましい。
【００１７】
以上のように、不織布１０は、圧入によって取り付けられるため、相対的に挿入穴１０ａから球状突起５を抜き取るようにして、フロントパネル１から不織布１０を引き剥がすこともできる。
【００１８】
以上のようにして形成されたフロントパネル１を、ブラウン管に対して所定の位置に取り付けると、ブラウン管の画像表示面の外周部とフロントパネル１の段部４との間に不織布１０が介在し、この不織布１０が両者間の緩衝部材としての機能を果たすことができる。
【００１９】
尚、本実施の形態では、不織布１０を開孔窓２の周辺全体にわたって取り付けるようにしたが、要所の複数箇所にのみ取り付けるようにしてもよい。また、本実施の形態では、裏平面部１ａに球状突起部５（図３）を形成したがこれに限定されるものではなく、球状突起部５に代えて、図７に示すように、挿入部に相当する円錐状の円錐状先端部２１ａと円柱状の支持部２１ｂとからなる円錐状突起２１を形成してもよい。この場合、円錐底面の径が、不織布１０の挿入穴１０ａ（図４）の径より僅かに大きく、即ち球状突起５の球状先端部５ａの径と同程度となるように設定する。
【００２０】
以上のように、本実施の形態のフロントパネルによれば、不織布を、両面接着テープ等で貼り付けることなく、着脱自在なかたちでフロントパネルに取り付けるため、リサイクル時においてフロントパネルと不織布との分離を容易に行うことができる。また不織布を取り付ける際に、その取り付け位置に自ずと導かれるため、不織布の取り付け位置がばらつくことがない。
【００２１】
実施の形態２．
図５は、本発明の不織布の取り付け構造を採用した実施の形態２のテレビのフロントパネルの構成を示す部分拡大図で、同図（ａ）は、十字型突起１２の配置例を示す配置図であり、また同図（ｂ）は、この十字型突起１２の外形を示す斜視図である。
【００２２】
この十字型突起１２を採用するテレビのフロントパネルが、前記した実施の形態１のフロントパネル１（図１）と主に異なる点は、球状突起５に代えて、同形成位置に十字型突起１２を形成した点である。従って、この十字型突起１２を採用するテレビのフロントパネルが、前記した実施の形態１のフロントパネル１と共通する部分には同符号を付して、或いは図面を省いて説明を省略し、異なる点を重点的に説明する。
【００２３】
前記したように、十字型突起１２は、図１に示す球状突起５と同形成位置に形成されている。従って、図１及び図５（ａ）に示すように、十字型突起１２は、裏平面部１ａと段部４との境界線１ｂの近傍の長方形状の４つの辺に沿って、個々の辺内において間隔Ｄで等間隔に形成され、その一対の短辺部にはそれぞれ２１個、同じく一対の長辺部にはそれぞれ２８個形成されている。
【００２４】
十字状突起１２は、図５（ｂ）に示すように、挿入部に相当する十字状先端部１２ａとこの十字状先端部１２ａを裏平面部１ａから所定距離離間させて保持する支持部１２ｂとからなる。この十字の長さＸは、不織布１０（図４）を取り付ける際に、不織布１０の挿入穴１０ａが、変形しつつも圧入できる程度に設定される。このように、不織布１０は、圧入によって取り付けられるため、相対的に挿入穴１０ａから十字状突起１２を抜き取るようにして、フロントパネルから不織布１０を引き剥がすこともできる。
【００２５】
以上のように、本実施の形態のフロントパネルによれば、不織布を、両面接着テープ等で貼り付けることなく、着脱自在なかたちでフロントパネルに取り付けることができるため、実施の形態１と同様の効果を得ることができる。
【００２６】
実施の形態３．
図６は、本発明の不織布の取り付け構造による実施の形態３の不織布１５の構成を示す構成図である。
【００２７】
この不織布１５が、前記した実施の形態１の不織布１０（図４）と異なる点は、挿入穴１０ａに代えて、同形成位置に十字状の切り込み１５ａを形成した点であり、実施の形態１の不織布１０と同様に、前記したフロントパネルに取り付けられるものである。従って、その取り付け方法については、前記した実施の形態１の場合と同じであるためここでの説明は省略し、不織布１５の構成を重点的に以下に説明する。
【００２８】
この不織布１５は、所定の厚みをもって短冊状に形成された細長い部材で、その長手方向に沿う中心からやや逸れた位置に、間隔Ｄで等間隔に合計７個の被挿入部に相当する十字状の切り込み１５ａが形成され、十字状の切り込み１５ａの中心から遠い方の長辺１５ｂまでの距離を、取り幅Ｗとしている。
【００２９】
この十字の切り込み１５ａの切り込み長Ｙは、例えば、この不織布１５を図２に示すフロントパネル１の球状突起５に取り付ける際に、十字の切り込み１５ａが変形しつつも圧入できる程度に設定される。このように、不織布１５は、圧入によって取り付けられるため、変形状態にある十字の切り込み１５ａから球状突起５を相対的に抜き取るようにして、取り付け部から不織布１５を引き剥がすこともできる。
【００３０】
以上のように、本実施の形態の不織布１５によれば、両面接着テープ等で貼り付けることなく、着脱自在なかたちでフロントパネルに取り付けることができるため、リサイクル時においてフロントパネルからの分離を容易に行うことができる。
【図面の簡単な説明】
【００３１】
【図１】本発明の不織布の取り付け構造を採用した実施の形態１のテレビのフロントパネル１の構成を示す構成図である。
【図２】図１に示す開孔窓２の左下部分の部分拡大図である。
【図３】（ａ）は、球状突起５の配設例を示す配置図であり、（ｂ）は、この球状突起５の外形を示す斜視図である。
【図４】不織布１０の形状を示す平面図である。
【図５】本発明の不織布の取り付け構造を採用した実施の形態２のテレビのフロントパネルの構成を示す部分拡大図で、（ａ）は十字型突起１２の配置例を示す配置図であり、（ｂ）は十字型突起１２の外形を示す斜視図である。
【図６】本発明の不織布の取り付け構造による実施の形態３の不織布１５の構成を示す構成図である。
【図７】実施の形態１において、突起部の他の例を示す円錐状突起２１の外形斜視図である。
【符号の説明】
【００３２】
１  フロントパネル、  １ａ  裏平面部、  １ｂ  境界線、  ２  開孔窓、  ３  操作部、  ４  段部、  ４ａ  斜面部、  ４ｂ  縁取り部、  ５  球状突起、  ５ａ  球状先端部、  ５ｂ  支持部、  １０  不織布、  １０ａ  挿入穴、  １０ｂ  長辺、  １２  十字型突起、  １２ａ  十字状先端部、  １２ｂ  支持部、  １５  不織布、  １５ａ  十字の切り込み、  １５ｂ  長辺、  ２１  円錐状突起、  ２１ａ  円錐状先端部、  ２１ｂ  支持部。
【図１】
2005073988.tif 000003
【図２】
2005073988.tif 000004
【図３】
2005073988.tif 000005
【図４】
2005073988.tif 000006
【図５】
2005073988.tif 000007
【図６】
2005073988.tif 000008
【図７】
2005073988.tif 000009